(57)【要約】【課題】  ロール紙及びカット媒体共に、容易に印刷可能なプリンタを提供すること。【解決手段】  サーマルヘッド２１とプラテン２２とにより構成される印刷部２０と、当該印刷部にロール状印刷媒体あるいは当該ロール状印刷媒体よりも厚いカット状印刷媒体を搬送する搬送手段とを備え、搬送手段は、ロール状印刷媒体を搬送するロール媒体搬送機構２２，２７ａと、カット状印刷媒体を搬送するカット媒体搬送機構２２とから成るプリンタ１において、ロール状印刷媒体を印刷部２０から退避させた状態でサーマルヘッドとプラテンとを離間させて、カット媒体搬送機構にて搬送するカット状印刷媒体を印刷部に導く搬送路４０を形成する印刷部離間機構５０等を備えた。【選択図】図１ 
2005041188.tif 000002
【特許請求の範囲】
【請求項１】
サーマルヘッドとプラテンとにより構成される印刷部と、当該印刷部にロール状印刷媒体あるいは当該ロール状印刷媒体よりも厚いカット状印刷媒体を搬送する搬送手段とを備え、
前記搬送手段は、前記ロール状印刷媒体を搬送するロール媒体搬送機構と、前記カット状印刷媒体を搬送するカット媒体搬送機構とから成るプリンタにおいて、
前記ロール状印刷媒体を前記印刷部から退避させた状態で前記サーマルヘッドとプラテンとを離間させて、前記カット媒体搬送機構にて搬送するカット状印刷媒体を前記印刷部に導く搬送路を形成する印刷部離間機構を備えた、ことを特徴とするプリンタ。
【請求項２】
前記ロール媒体搬送機構が、前記ロール状印刷媒体を前記印刷部から退避させるロール媒体退避機能を備えた、ことを特徴とする請求項１記載のプリンタ。
【請求項３】
前記ロール媒体搬送機構が、前記ロール状印刷媒体を前記印刷部から退避させた状態で前記カット媒体搬送機構にて前記カット状印刷媒体を搬送するときに、前記ロール状印刷媒体を前記印刷部に搬送することを停止する機能を有する、ことを特徴とする請求項１又は２記載のプリンタ。
【請求項４】
前記搬送路に前記カット状印刷媒体が挿入されたことを検知するカット媒体検知手段を備えると共に、
前記印刷部離間機構が、前記カット媒体検知手段にて前記カット状印刷媒体を検知したときに前記サーマルヘッドとプラテンとを印刷可能な距離に戻す機能を備えた、ことを特徴とする請求項１，２又は３記載のプリンタ。
【請求項５】
前記カット媒体搬送機構にて前記カット状印刷媒体を所定の位置まで搬送したことを検知する搬送カット媒体検知手段を備えると共に、当該搬送カット媒体検知手段にて前記カット状印刷媒体を検知したときに前記カット状印刷媒体の後方に前記搬送路の少なくとも一部を塞ぐストッパーを設けた、ことを特徴とする請求項１，２，３又は４記載のプリンタ。
【請求項６】
前記カット状印刷媒体は、非接触にて所定のデータを記録可能な非接触カードであることを特徴とする請求項１，２，３，４又は５記載のプリンタ。
【請求項７】
前記カット状印刷媒体に対して所定のデータを読み書きするデータ読み書き手段を備えたことを特徴とする請求項６記載のプリンタ。
【請求項８】
前記ロール状印刷媒体の印刷後の出口が、前記カット状印刷媒体の出入口となるよう、前記搬送路を形成すると共に、前記カット媒体搬送機構の搬送方向を設定した、ことを特徴とする請求項１，２，３，４，５，６又は７記載のプリンタ。
【発明の詳細な説明】
【技術分野】
【０００１】
本発明は、プリンタにかかり、特に、ロール紙及びカット媒体の両媒体に印刷可能なプリンタに関する。
【背景技術】
【０００２】
従来より、ロール形状に丸められたロール紙をセットして、当該ロール紙を印字部に搬送して印刷するプリンタが使用されている。特に、小売店などでは、レシートを印刷するＰＯＳ端末などに搭載されている。
【０００３】
一方で、上記のようにロール紙に印刷でき、同時に、通常のカット紙に対しても印刷できるプリンタも実現されており、その具体的な装置の一例が、特許文献１に開示されている。この特許文献１に開示されているプリンタは、印字部となるサーマルヘッドとプラテンとの間に、ロール紙及びカット紙をそれぞれ搬送して、各用紙に印刷可能なよう構成したものである。
【０００４】
【特許文献１】特開平１１−２８８４４号公報
【発明の開示】
【発明が解決しようとする課題】
【０００５】
しかしながら、上記特許文献１記載のプリンタでは、ロール紙を印刷する時の状態に配置されているサーマルヘッドとプラテンとの間にカット紙を搬送しているため、カット紙の厚さによっては印刷部に導くことが困難となり、印刷自体が困難となってしまうという問題が生じる。例えば、チケットなどの厚手の用紙や、プラスチック板によるカード類、さらには、非接触にて内部にデータの読み書きが可能な非接触型のＩＣカードなどの表面に印刷する場合には、一台のプリンタによる印刷が困難となる。
【０００６】
特に、ＰＯＳ装置にプリンタを組み込む場合には、レシート用紙に印刷することはもちろん可能であるが、同時にポイントカードなどのカット媒体を挿入することは困難である。従って、従来は別々の装置を配置しているため、店舗内においてかかる装置を配置する場所の省スペース化を図ることができない、という問題が生じる。
【０００７】
従って、本発明では、ロール紙及びカット媒体共に、容易に印刷することができるプリンタを提供することをその目的とする。
【課題を解決するための手段】
【０００８】
そこで、本発明では、サーマルヘッドとプラテンとにより構成される印刷部と、当該印刷部にロール状印刷媒体あるいは当該ロール状印刷媒体よりも厚いカット状印刷媒体を搬送する搬送手段とを備え、搬送手段は、ロール状印刷媒体を搬送するロール媒体搬送機構と、カット状印刷媒体を搬送するカット媒体搬送機構とから成るプリンタにおいて、ロール状印刷媒体を印刷部から退避させた状態でサーマルヘッドとプラテンとを離間させて、カット媒体搬送機構にて搬送するカット状印刷媒体を印刷部に導く搬送路を形成する印刷部離間機構を備えた、という構成を採っている。
【０００９】
このとき、ロール媒体搬送機構が、ロール状印刷媒体を印刷部から退避させるロール媒体退避機能を有する、という構成にすると望ましく、さらには、ロール媒体搬送機構が、ロール状印刷媒体を印刷部から退避させた状態で前記カット媒体搬送機構にてカット状印刷媒体を搬送するときに、ロール状印刷媒体を印刷部に搬送することを停止する機能を有する、という構成にしてもよい。
【００１０】
また、搬送路にカット状印刷媒体が挿入されたことを検知するカット媒体検知手段を備えると共に、印刷部離間機構が、カット媒体検知手段にてカット状印刷媒体を検知したときにサーマルヘッドとプラテンとを印刷可能な距離に戻す機能を備えた、という構成にすると望ましい。
【００１１】
また、カット媒体搬送機構にてカット状印刷媒体を所定の位置まで搬送したことを検知する搬送カット媒体検知手段を備えると共に、当該搬送カット媒体検知手段にてカット状印刷媒体を検知したときにカット状印刷媒体の後方に前記搬送路の少なくとも一部を塞ぐストッパーを設けた、という構成にしてもよい。
【００１２】
さらには、カット状印刷媒体は、非接触にて所定のデータを記録可能な非接触カードであってもよく、この非接触カードであるカット状印刷媒体に対して所定のデータを読み書きするデータ読み書き手段を備えた、という構成にしてもよい。
【００１３】
そして、ロール状印刷媒体の印刷後の出口が、カット状印刷媒体の出入口となるよう、搬送路を形成すると共に、カット媒体搬送機構の搬送方向を設定してもよい。
【発明の効果】
【００１４】
上記構成にすることにより、カット状印刷媒体に対して印刷を行う際には、印刷部離間機構により、印刷媒体に印字等を行うサーマルヘッドと、印刷媒体を支持するプラテンとの間に所定の隙間が生じる。すると、かかる隙間が所定の厚さを有するカット媒体の搬送路となり、容易にカット媒体を印刷部に導くことができる。このため、ロール状印刷媒体とカット状印刷媒体との両媒体に対して容易に印刷可能となる。
【００１５】
そして、カット状印刷媒体を印刷する際に、ロール状印刷媒体を退避させると共に、ロール状印刷媒体の搬送を停止する。また、カット状印刷媒体が挿入されたことを検知すると、サーマルヘッドとプラテンとの位置を元の位置に戻す。これにより、自動的にロール媒体からカット媒体への印刷に移行することができる。
【００１６】
さらに、カット状印刷媒体を印刷して、所定箇所まで搬送されたことを検出すると、カット媒体の後方の搬送路がストッパーにて塞がれる。これにより、カット媒体が逆送されることを抑制することができる。特に、縦方向に搬送路が形成されていて、上方にカット媒体が搬送される構造である場合には、印刷後のカット媒体が搬送路下方に落下することを抑制でき、容易に取り出すことができる。
【００１７】
また、カット状印刷媒体がＩＣカードなどのデータが記録可能な非接触カードである場合には、カット媒体の厚みがロール媒体に比べて厚いため、サーマルヘッドとプラテンとを離間させて搬送路を形成することで、より容易にカット媒体への印刷が可能となる。このとき、プリンタにデータ読み書き手段を設けることにより、当該プリンタに挿入したＩＣカードなどのカット媒体に対して、所定のデータの読み書きも実行することができ、カット媒体に対して印刷情報及び電子情報共に記録することができる。
【００１８】
そして、ロール状印刷媒体の印刷後の出口が、カット状印刷媒体の出入口となるように搬送路を形成することで、カット状印刷媒体を差し込む箇所が明確になると共に、当該差し込まれたカット媒体を容易に印刷部に導くことができる。また、カット媒体搬送機構によるカット状印刷媒体の搬送方向を、入口方向に排出するよう設定することで、印刷後は差し込んだ箇所からカット媒体が出てくるため、容易に取り出すことも可能となる。
【発明を実施するための最良の形態】
【００１９】
以下、本発明の概要を説明する。本発明は、サーマルヘッドにて印刷を行うサーマルプリンタであり、ロール状あるいはカット状の印刷媒体（以下、ロール媒体、カット媒体と言う）を共に印刷可能なハイブリッドプリンタである。そして、サーマルプリンタであることから、ロール媒体、カット媒体の印刷面は共にサーマル印刷面となっている。
【００２０】
基本的には、一般的なサーマルプリンタと同様に構成されており、上記印刷媒体に印刷を行うサーマルヘッドと、印刷媒体をサーマルヘッドに押さえつけると共に当該印刷媒体を搬送するプラテンとから成る印刷部を備えている。また、ロール媒体を印刷部に搬送する搬送機構と、同様にカット媒体を搬送する搬送機構とをそれぞれ備えている。
【００２１】
そして、本発明では、特に、カット媒体を印刷する際にサーマルヘッドとプラテンとを離間させて、カット媒体を印刷部に搬送する搬送路を形成する印刷部離間機構を備えている。これにより、所定の厚みを有するカット媒体を印刷部に導入しやすくし、ロール媒体とカット媒体との印刷を一台のプリンタで容易に実現することができる。
【００２２】
続いて、本発明であるサーマルプリンタにおける印刷動作を説明する。まず、ロール媒体に印刷する際には、サーマルヘッドとプラテンとから成る印刷部に、ロール媒体の先端部をロール媒体搬送機構にて搬送する。すると、ロール媒体がサーマルヘッドとプラテンとの間に介挿され、プラテン等にて当該ロール媒体を搬送しながら、サーマルヘッドに通電して印刷を行う。
【００２３】
一方、所定の厚みを有するカット媒体に印刷する際には、まず、ロール媒体搬送機構を上述した動作とは逆に作動させて、ロール媒体を印刷部から退避させる。そして、印刷部離間機構にてサーマルヘッドとプラテンとを離間させて、かかる隙間にカット媒体を搬送する。印刷部にカット媒体が搬送されると、サーマルヘッドとプラテンとが元に位置に戻り、印刷可能な状態となる。すなわち、カット媒体がサーマルヘッドとプラテンとの間に介挿された状態となる。そして、上述同様に、プラテン等にてカット媒体を搬送しながら、サーマルヘッドに通電して印刷を行う。
【実施例１】
【００２４】
以下、本発明の具体的な実施例を、図１乃至図６を参照して説明する。図１は、本発明の内部構成を示す概略図である。図２は、一部の部品を省略した構成を示す概略図である。図３乃至図６は、本発明の動作を示す図である。なお、いずれの図においても、プリンタの構造を簡略化して図示している。
【００２５】
（構成）
本発明であるプリンタ１は、上述したようにＰＯＳなどに用いられるレシートを印刷するサーマルプリンタである。図１に、その構成を示すが、この図においては、簡略した内部構造を示す。また、図２には、構成の一部を省略した内部構造を示す。なお、印刷を実行する構成としては、従来例におけるプリンタと基本構造は同一である。また、いずれの図においても、プリンタ１の筐体については省略している。
【００２６】
図１に示すプリンタ１は、ロール状の印刷媒体であるロール紙１００に印字するための機構により基本構造をなしている。そして、プリンタの後方（図１の右側）には、ロール紙１００を収納するロール紙ホルダ１０があり、後述する印刷部２０（サーマルヘッド２１とプラテン２２とにより挟まれた箇所）にロール紙１００から用紙１０１を送っている。
【００２７】
ロール紙ホルダ１０には、ロール紙１００を中心にて保持するピン１１が固着されており、これを中心に回転可能にプリンタ（ロール紙１００）の上部を覆う３つのカバー１２，１３，１４が装着されている。そして、各カバー１２，１３，１４は、前後で連結されていて、符号１２に示すカバーの開閉時の回転ともに、他のカバー１３，１４もスライドするようになっている。また、符号１２に示すカバーには、後述するプラテン２２とプレッシャローラ２３とが一体的に設置されている。さらに、カバー１２には、用紙ホルダ１０の回りに付設された引っ張りコイルバネにて構成されるバネ部材１５により、時計回りに回転するよう引っ張られた状態になっている。このため、後述するように、カバー１２が開閉レバー３０にて印刷部２０側にて係止されていない状態になると、バネ部材１５の引っ張り力により当該カバー１２はもちろんのこと、これに連結しているカバー１３，１４と共に、時計回り方向にスライドし、カバー部分が開いた状態となる。なお、この動作については、図３を参照して後述する。
【００２８】
そして、上述したように、プラテン２２が設置されているカバー１２は、開閉レバー３０によって印刷部２０付近に係止された状態になるが、この開閉レバー３０は、印刷部２０付近に上方に伸びて設けられており、下方にて筐体に軸支された状態になっている（符号３１参照）。そして、開閉レバー３０には、ロール紙１００が設置される方向に突出した突出部３２が形成されており、プラテン２２の中心軸２２ａを引っ掛けて印刷部２０付近に保持するようになっている。このとき、開閉レバー３０には、引っ張りコイルバネにて構成されるバネ部材３３が係合されていて、当該バネ部材３３にてプラテン２２が装着される方向に引っ張るよう構成されている。但し、開閉レバー３０は、図示しない筐体に備えられた係止部にて、図１に示す位置よりもプラテン２２側に移動しないよう係止されている。
【００２９】
従って、ロール紙１００をプリンタにセットする場合には、まず、開閉レバー３０をサーマルヘッド２１側に移動することで、当該レバー３０の突出部３２に引っかかっているプラテン２２の中心軸２２ａが外れ、当該プラテン２２が係合しているカバー１２がバネ部材１５にて回転し、他のカバー１３，１４も回転する。これにより、印刷部２０を開口させると共に、ロール紙ホルダ１０上部も開口させることができる。その後、サーマルヘッド２１側に移動させられた開閉レバー３０はバネ部材３３に付勢されて、もとの位置に戻る。そして、ロール紙１００をセットした後に、再度、開閉レバー３０をサーマルヘッド２１側に移動して、レバー３０の突出部３２の下にプラテン２２の中心軸２２ａが位置するようカバー１２をスライドし、レバー３０をもとの位置に戻すことで、カバー１２すなわちプラテン２２が印刷部２０に係止された状態となる。
【００３０】
次に、印刷部２０付近の構成について説明する。印刷部２０は、サーマルヘッド２１とプラテン２２とにより構成され、上下に通ずる搬送路４０上に形成されている。搬送路４０には、後述するように、ロール紙１００からの用紙１０１が通路途中から上方に搬送されると共に、上方から挿入されたカット媒体が下端部４１で受け止めた後に、上方に搬送される。
【００３１】
そして、印刷部２０においては、ロール紙１００からの用紙１０１は、サーマルヘッド２１とプラテン２２とに挟まれ、サーマルヘッド２１の通電により印字できるようになっている。また、プラテン２２にはギア２２ｂが固着されており、サーマルヘッド２１側に位置する相手側のプーリギア２４ａから回転力が付勢されて回転できるようになっている。このプーリギア２４ａにはベルト２４ｃがはめ込められていて、下方に位置する他のプーリギア２４ｂと連結している。また、このプーリギア２４ｂのギア部はモータギア２５に連結され、当該モータギア２５を駆動するモータ２６の動力がプラテン２２に伝達される。これにより、プラテン２２の回転により用紙１０１が搬送されるようになっており、ロール媒体搬送機構が構成されている。なお、このプラテン２２は、後述するようにカット媒体も搬送するため、カット媒体搬送機構としても作動する。
【００３２】
また、モータギア２５は、別のプーリギア２７ｂにも連結していて、かかるプーリギア２７ｂはベルト２７ｃを介して対となる上方に位置するさらに別のプーリギア２７ａに動力を伝達するようになっている。このプーリギア２７ａは、カバー１２に装着されたプレッシャローラ２３と当接しており、かかるプーリギア２７ａとプレッシャローラ２３との間に、ロール紙１００からの用紙１０１を挟み、搬送路４０すなわち印刷部２０へと用紙１０１を搬送する構成となっている。すなわち、プレッシャローラ２３と当接するプーリギア２７ａは、用紙１０１を搬送するフィードローラ２７ａとして作動する。従って、フォードローラ２７ａ及びプレッシャローラ２３による構成も、ロール媒体搬送機構として作動する。なお、上述したプーリギアやモータなどは、図示しない筐体の壁などに装着されているが、その詳細な図示及び説明は省略する。
【００３３】
ここで、搬送路４０の上部に位置する用紙排出口付近には、ロール用紙１０１を切断するオートカッター機構６０が備えられている。このオートカッター機構６０により、印刷が終了したロール用紙１０１を自動的に切断し、所定の大きさの印刷物を得ることができる。なお、オートカッター機構６０は、従来より同様のプリンタに用いられているものとほぼ同様に構成されているため、その詳細な説明については省略する。
【００３４】
続いて、上述したプーリギア等を省略した図２を参照して、サーマルヘッド２１等の構成について詳述する。サーマルヘッド２１は、その下部にヘッドブラケット５０が固着されている。このヘッドブラケット５０は、サーマルヘッド２１に対してほぼ垂直に延設された本体部５１と、所定の角度を有して斜めに伸びる連結部５２とにより構成され、当該連結部５２を介して上述した符号３１に示すシャフトに軸支されている。なお、シャフト３１は図示しない筐体に軸支されている。そして、連結部５２には、引っ張りコイルバネによるバネ部材５３が連結されていて、ヘッドブラケット５０をプラテン側に引っ張るよう付勢し、これによりサーマルヘッド２１をプラテン２２に押し付けている。なお、バネ部材５３は図示しない筐体に装着されている。また、上述した符号３３に示すバネ部材も同様である。
【００３５】
また、ヘッドブラケット５０の本体部５１の端部付近には、略長方形状の切り欠き穴５４が形成されていて、内部に偏心カム５５が設置されている。そして、この偏心カム５５はモータ５６に接続されていて、当該モータ５６の回転により、偏心カム５５が切り欠き穴５４に内側に当接し、本体部５１をプラテン２２から遠ざける方向（図２の左方向）に移動させる。すると、ヘッドブラケット５０に固定されたサーマルヘッド２１も、同様に移動して、サーマルヘッド２１とプラテン２２とが離間し、搬送路４０が開口することとなる（後述する図３参照）。なお、上記モータ５６近辺には、偏心カム５５に固着したブロック部の位置を検出するセンサ５７が備えられていて、ヘッドブラケット５０を十分移動させるだけ回転したことを検出すると、モータ５６の回転を停止するよう作動する。なお、上記モータ５６などの各構成も、筐体に装着されている。
【００３６】
このように、本実施例におけるプリンタ１は、サーマルヘッド２１とプラテン２２とを離間させ、後述するようにカット媒体を印刷部２０に挿入し易いよう搬送路４０を開口させる印刷部離間機構を備えている。そして、上述したプレッシャローラ２３と当接するフィードローラ２７ａにより構成されるロール媒体搬送機構は、カット媒体を印刷する際には、ロール用紙１０１を印刷部２０から退避させるよう、逆回転するように制御される。例えば、カット媒体を印刷すべく操作者がプリンタに設けられたあるスイッチを押すと、自動的にモータ２６が反時計回り方向に回転し、これによりロール用紙１０１を印刷部２０から退避するよう作動すると共に、上述したように印刷部離間機構が作動するよう構成されている。このとき、退避された用紙１０１の先端部を検出するセンサ４２（ロール紙先端検知手段）を搬送路４０近辺に備え、用紙１０１先端部を検出すると退避動作を停止するよう制御される。
【００３７】
さらには、フィードローラ２７ａからなるロール媒体搬送機構は、一度退避させたロール用紙１０１を、再度印刷部２０に搬送しないよう制御する機能をも有している。具体的には、フィードローラ２７ａにベルト２７ｃにて連結するプーリギア２７ｂに電磁クラッチを設けることにより実現する。これは、後述するように、カット媒体を搬送する際にはモータ２６を回転させるが、当該モータ２６のギア２５の回転によりプーリギア２７ｂを介してフィードローラ２７ａが回転し、退避している用紙１０１が搬送路４０に導入されてしまうという問題が生じるので、これを回避するためである。上述のようにプーリギア２７ｂに電磁クラッチを設けることにより、カット媒体を印刷する状態の際には電磁クラッチを切るよう制御することで、モータ２６の動力をフィードローラ２７ａに伝達させないようにすることができ、ロール用紙１０１を退避状態に維持することができる。なお、カット媒体を印刷する状態に移行した後に、再度、ロール用紙１０１の印刷を行う状態に移行すべき操作が操作者にて行われると、電磁クラッチを入れるよう制御し、退避しているロール用紙１０１を印刷部４０に搬送する。
【００３８】
次に、カット媒体を印刷する際に必要な構成について説明する。まず、図２に示すように、搬送路４０の下端部４１付近には、カット媒体が挿入されたことを検出するカット媒体検知手段としてのセンサ４３が備えられている。そして、このセンサ４３は、上述した印刷部離間機構と連動していて、当該センサ４３にてカット媒体が搬送路４０に挿入されたことを検知すると、サーマルヘッド２１とプラテン２２とを印刷可能な距離に戻すよう作動する。すなわち、モータ５６を回転させることにより、ヘッドブラケット５０の切り欠き穴５４内の偏心カム５５が作用して、ヘッドブラケット５０及びサーマルヘッド２１を元の位置に戻す。これにより、サーマルヘッド２２が搬送路４０に挿入されたカット媒体に接触し、印字可能となる。
【００３９】
また、本実施例におけるプリンタには、搬送路４０に接して、所定のデータを記録可能なＩＣカードなどの非接触にてデータの読み書きが可能なカードに対して、所定の情報を読み書きするデータ読み書き手段である無線ユニット４４が備えられている。これにより、印刷対象であるカット媒体が非接触カードであって、かかる媒体が搬送路４０に挿入された際に、無線ユニット４４にてカード内部のメモリに対してデータ通信が可能である。これにより、カードに記憶されているポイント数などの読みとりや、加算減算などの更新処理を行うことができる。
【００４０】
そして、カット媒体が挿入されると、モータ２６を時計回りの方向に回転させることによりプラテン２２を回転させ、カット媒体を上方に搬送する。そして、サーマルヘッド２１に通電させれば、カット媒体のサーマル印字面であるカード表面に印字が可能である。なお、このとき、上述したように、モータ２６の動力をフィードローラ２７ａに伝達させないよう電磁クラッチを切るよう制御される。
【００４１】
また、サーマルヘッド２１近辺には、搬送路４０に接して、搬送中のカット媒体の後端部を検出する搬送カット媒体検知手段としてのセンサ４５が備えられている。そして、カット媒体の後端部を検出すると、搬送路４０を塞ぐ機構が作動し、これにより、カット媒体の後方の搬送路４０をストッパーにて塞ぐようになっている。具体的には、ロータリソレノイド４６と、偏心して備えられているソレノイドピン４７と、さらには、当該ピン４７に長穴が内接しているスライダ４８とを備えている。このような構成により、カット媒体の後端部を検出してカット媒体への印刷が終了すると、ロータリソレノイド４６を作動させて偏心しているソレノイドピン４７を時計方向に回転させることで、当該ソレノイドピン４７に長穴が押されてスライダ４８が搬送路４０方向に移動する。すると、スライダ４８の先端部４８ａが搬送路４０内に差し込まれ、カット媒体の下方に位置することとなる。従って、かかる状態でサーマルヘッド２１をプラテン２２から離間するよう退避させたとしても、カット媒体はスライダ４８の先端部４８ａにて搬送路４０の下方に落下することを防止することができ、搬送路４０の上方からカット媒体を容易に取り出すことができる。
【００４２】
（動作）
次に、本実施例におけるプリンタの動作について、図１及び図３乃至図６を参照して説明する。はじめに、図３を参照して、ロール紙１００をプリンタにセットする際の動作について説明する。
【００４３】
まず、開閉レバー３０の先端をプラテン２２側（図３の右側）へ押し、プラテン２２の中心軸２２ａを開閉レバー３０の突出部３２にて係止されている状態から外し、印刷部２０から離れさせる。すると、プラテン２２が装着されているカバー１２は、バネ部材１５によりロール紙ホルダ１０側に引っ張られ、ピン１１を中心に時計回り方向に回転する。そして、カバー１２の回転すると、当該カバー１２のプラテン２２が装着されている側の一部が隣のカバー１３に当接する。すると、当該カバー１３が回転してきたカバー１２にてロール紙ホルダ１０側に押され、時計回り方向に回転される。そして、同様に、カバー１４も時計回り方向に回転し、最終的にはカバー全体１２，１３，１４がロール紙ホルダ１０から突出する係止部材１０ａで係止され、これにより、ロール紙ホルダ１０の上部が開き、ロール紙１０をセットすることができる。
【００４４】
その後、セットしたロール紙１００の先端の用紙１０１を、プリンタのサーマルヘッド２１側（図３の左側）に引き出し、上述した動作とは逆に、カバー１２をサーマルヘッド２１側に移動する。このとき、開閉レバー３０の突出部３２にプラテン２２の中心軸２２ａを引っ掛けることで、当該プラテン２２がサーマルヘッド２１に押さえつけられた状態となる。これにより、図１に示すように、用紙１０１はフィードローラ２７ａとプレッシャローラ２３とにより挟まれると共に、印刷部２０ではサーマルヘッド２１とプラテン２２との間に挟まれた状態となり、ロール紙１００のセットは完了する。
【００４５】
次に、図１を参照して、ロール紙１００への印刷動作を説明する。まず、セットされたロール紙１００から引き出された用紙１０１を搬送させるために、モータ２６を時計方向に回転させ、プーリギア、ベルトに連結するプラテン２２およびフィードローラ２７ａを回転させる。すると、用紙１０１は、搬送路４０上部の排出口の方向へ搬送される。そして、搬送中にサーマルヘッド２１に通電し、印刷データに基づき用紙１０１に対して印刷を行う。その後、用紙１０１が所定の位置にきたら、オートカッター６０にて用紙１０１を切断し、一連の印刷処理が完了する。
【００４６】
次に、図４乃至図６を参照して、カット媒体１０２への印刷動作について説明する。なお、図４は、説明の都合上、プーリギアなどの構成の一部を省略して図示している。また、カット媒体１０２は、所定のデータが読み書き可能なＩＣカードであると共に、表面にサーマル印刷面が形成されており、ロール紙１００よりも厚さが厚い印刷媒体である。但し、カット媒体１０２はＩＣカードなどの非接触により所定のデータを読み書きできる媒体に限定されない。例えば、表面に印刷のみが可能なチケットなどの厚手の用紙や、プラスチック板によるカード状の媒体であってもよい。
【００４７】
図４を参照して、カット媒体１０２を印刷する準備段階の動作を説明する。カット媒体１０２を印刷すべく作業者によりプリンタに備えられているカット媒体印刷状態に遷移する所定のスイッチ（図示せず）が入れられると、以下に説明するように、搬送路４０の開口と、ロール紙１００の用紙１０１の退避とが自動的に行われる。
【００４８】
まず、搬送路４０を開口するために、モータ５６を反時計方向に回転させることで、ヘッドブラケット５０の本体部５１に形成された切り欠き穴５４に偏心カム５５を接触させ、ヘッドブラケット５０をプリンタの搬送路４０から遠ざける方向（図４の左方向）に移動させる。その偏心カム５５に固着したブロック部の一端をセンサ５７で位置検出することで、モータ５６の回転を止め、適切な位置にサーマルヘッド２１をプラテン２２から離間させる（図４の矢印Ａ１参照）。
【００４９】
次に、ロール紙１００の用紙１０１を印刷部２０から退避するために、モータ２６を反時計方向に回転させ、図４では図示しないプーリギア及びベルト（図１の符号２７ｂ，２７ｃを参照）に接続されたフィードローラ２７ａを時計方向に回転させる。これにより、用紙１０１をロール紙ホルダ１０方向（印刷部２０とは反対方向）に退避させる。なお、用紙１０１の先端１０１ａをセンサ４２で検知すると、用紙１０１の退避を停止し、再度、ロール用紙１０１を容易に印刷部２０に導入可能な状態にしておく。
【００５０】
そして、搬送路４０が開口した状態で、当該搬送路４０の上方からカット媒体１０２を挿入する（図４の矢印Ａ２参照）。カット媒体１０２を挿入したときの様子を、図５に示す。なお、このように、ロール紙１０１においては出口である搬送路４０の上端部が、カット媒体１０２の挿入口（差し込み口）となる。また、後述するように、挿入されたカット媒体１０２は、印刷部にて印刷された後に、再び挿入口に戻るよう搬送される。従って、カット媒体１０２の挿入口と出口とが搬送路４０の端部に位置するよう形成されている。
【００５１】
そして、搬送路４０に挿入されたカット媒体１０２は、当該搬送路４０の下端部４１まで落下し、下端付近に備えられているセンサ４３にて検知される。そして、カット媒体の挿入が検知されると、以下に説明するように、自動的に当該カット媒体１０２の印刷状態に移行すると共に、カット媒体１０２内のメモリに対してデータの読み書きが行われる。
【００５２】
まず、上述したように、カット媒体１０２が無線にて内部メモリにデータが読み書き可能な非接触カードである場合には、無線ユニット４４からの無線データ通信により、非接触カードのメモリに記憶されているデータを変更することも可能である。例えば、購入金額に応じたポイントデータを付加したり、逆に、ポイント利用により記憶されているポイント数の減算を行う。但し、読み書きされるデータの内容は上記のものに限定されない。
【００５３】
続いて、カット媒体１０２への印刷状態へと移行する。モータ５６を時計回り方向に回転させて偏心カム５５の作用によりヘッドブラケット５０を搬送路４０側に移動して、サーマルヘッド２１をプラテン２２に押さえつけた状態にする。このとき、サーマルヘッド２１とプラテン２２との間には、カット媒体１０２が挟まれた状態になっている。なお、このサーマルヘッド２１を印刷可能な状態に移動する動作は、カット媒体１０２の挿入を検知した直後に行われてもよい。
【００５４】
そして、印刷準備が完了すると、モータ２６を時計方向に回転させ、プーリギア２４ａ，２４ｂ，２４ｃを介してプラテン２２を回転させる。これにより、カット媒体１０２を搬送路４０上方の排出口方向に送る。なお、排出口とは、上述したように、カット媒体１０２の挿入口と同一である。このとき、モータ２６の回転によりフィードローラ２７ａが回転しないようプーリギア２７ｂの電磁クラッチを切り、動力を接続させないようにする。これにより、カット媒体１０２印刷時に、退避中のロール用紙１０１が印刷部２０に導入されることを防止することができる。そして、カット媒体１０２の搬送とともに、サーマルヘッド２１でカット媒体１０２に印刷を行う。
【００５５】
その後、カット媒体１０２への印刷が進み、図６に示すように、上方に搬送されてセンサ４５にてカット媒体１０２の後端を検知すると、当該カット媒体の搬送を停止する。これと共に、ロータリソレノイド４６を回転させることでスライダ４８の先端部４８ａを矢印Ａ３に示すよう移動させ、搬送路４０に差し込み、カット媒体１０２のストッパーを設ける。そして、モ−タ５６を動作させることで再び図４に示すようヘッドブラケット５０、すなわち、サーマルヘッド２１をプラテン２２から離間させる。これにより、カット媒体１０２は開放され、搬送路４０の排出口から当該カット媒体１０２を取り出すことができる。このとき、カット媒体１０２が開放された場合であっても、スライダ４８の先端部４８ａにより搬送路４０の下方に落下することを防止することができる。
【００５６】
このようにすることにより、ロール紙１０１よりも所定の厚みを有するカット媒体１０２に対して印刷を行う際には、サーマルヘッド２１とプラテン２２とを離間させて搬送路４０を開口することにより、容易にカット媒体１０２を印刷部２０に導くことができ、ロール状印刷媒体とカット状印刷媒体との両媒体に対して容易に印刷可能となる。特に、印刷部２０に近い箇所に形成したロール状印刷媒体の印刷後の出口である搬送路２０の開口部を、カット状印刷媒体の差し込み口とすることで、当該カット状印刷媒体を差し込む箇所がわかりやすく、かつ、差し込まれたカット媒体を容易に印刷部２０に導くことができる。そして、印刷後は差し込んだ箇所に戻るようカット媒体が搬送されて出てくるため、カット媒体を差し込んだときの手をそのままの状態にしてしばらく待つことにより、かかる手元にカット媒体が搬送されてくるため、容易に取り出すことも可能となる。
【００５７】
また、カット媒１０２体がＩＣカードなどの非接触にてデータが記録可能な非接触カードである場合には、カット媒体１０２の厚みがロール媒体に比べて厚いため、上述したように搬送路４０を開口することにより、より容易に当該カット媒体への印刷が可能となる。このとき、プリンタにデータの読み書きを行う無線ユニット４４を設けることにより、当該プリンタに挿入したＩＣカードなどのカット媒体１０２に対して、所定のデータの読み書きも実行することができ、当該カット媒体に対して印刷情報及び電子情報共に、同時に記録することができる。
【実施例２】
【００５８】
次に、図７を参照して、本発明の実施例２を説明する。この図に示すように、上述した構成のプリンタを縦置型に変形してもよい。例えば、まず、下部に基台２０１を形成し、装置全体を支える。そして、装置中央付近に横方向に伸びる搬送路２４０を形成して、その下部にロール紙１００を配置し、上部に印刷機構を配置するよう構成してもよい。これにより、設置スペースをより節約することができる。
【産業上の利用可能性】
【００５９】
以上説明したように、本発明におけるプリンタは、ロール紙を印刷すると共に、カードなどのカット媒体も容易に印刷することができ、小売店などで利用されるＰＯＳ端末に搭載可能である。これにより、一台でロール紙及びカット媒体に印刷することが可能になると共に、さらには、ＩＣカードなどのカット媒体に対してはデータの読み書きも可能であり、設置する装置の台数を削減することができ、設置箇所の省スペース化を図ることができる。
【図面の簡単な説明】
【００６０】
【図１】実施例１におけるプリンタの内部構成を示す概略図である。
【図２】図１に開示したプリンタの構成の一部を省略した概略図である。
【図３】カバーを空けたときの状態を示す図である。
【図４】サーマルヘッドを退避したときの状態を示す図である。
【図５】カット媒体を挿入したときの状態を示す図である。
【図６】カット媒体を印刷状態を示す図である。
【図７】実施例２におけるプリンタの内部構成を示す概略図である。
【符号の説明】
【００６１】
１  プリンタ
１０  ロール用紙ホルダ
１２，１３，１４  カバー
２０  印刷部
２１  サーマルヘッド
２２  プラテン
２２ａ  中心軸（プラテン）
２３  プレッシャローラ
２６，５６  モータ
２７ａ  フィードローラ
３０  開閉レバー
３２  突出部
４０  搬送路
４２  センサ（ロール紙先端検知手段）
４３  センサ（カット媒体検知手段）
４５  センサ（搬送カット媒体検知手段）
４８  スライダ
５０  ヘッドブラケット
６０  オートカッター機構
１００  ロール紙
１０１  用紙（ロール紙）
１０２  カット媒体
【図１】
2005041188.tif 000003
【図２】
2005041188.tif 000004
【図３】
2005041188.tif 000005
【図４】
2005041188.tif 000006
【図５】
2005041188.tif 000007
【図６】
2005041188.tif 000008
【図７】
2005041188.tif 000009